【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】 患者において病原性毒素を阻害するための医薬の製造における、酸無水物基を実質的に含まない、ペンダント酸官能基を含んでなるポリマーまたは製薬学的に許容されうるカチオンとのその塩の使用。
【請求項２】 患者において病原性毒素を阻害するための医薬の製造における、ペンダントスルホン酸官能基を含んでなるポリマーまたは製薬学的に許容されうるカチオンとのその塩の使用。
【請求項３】 患者において病原性毒素を阻害するための医薬の製造における、１個のペンダント酸官能基を有する繰り返し単位を特徴とする、ペンダント酸官能基を含んでなるポリマーまたは製薬学的に許容されうるカチオンとのその塩の使用。
【請求項４】  患者が哺乳動物である請求項１記載の使用。
【請求項５】  ポリマーが疎水基をさらに含んでなるものである請求項１記載の使用。
【請求項６】  酸官能基がカルボン酸基、スルホン酸基、ホスホン酸基、ホウ酸基、硫酸塩基またはジハイドロホスフェート基である請求項１記載の使用。
【請求項７】  ポリマーが、式Ｉ
2002544226.tif 000001
（式中、Ｘはスペーサー基もしくは直接結合であり；Ｒ1 およびＲ2 は各々独立して水素もしくはアルキル基であり；またはＲ1 は水素原子もしくはアルキル基であり、かつＲ2 は酸官能基であり；ならびにＹは酸官能基である。）
のモノマーを含有してなるものである請求項６記載の使用。
【請求項８】  Ｘが、ノルマルの、分岐したもしくは環状の、置換もしくは非置換の、飽和もしくは不飽和のハイドロカービレン（hydrocarbylene）基、または少なくとも１個の炭素原子がヘテロ原子により置換された、ノルマルの、分岐したもしくは環状の、置換もしくは非置換の、飽和もしくは不飽和のハイドロカービレン基である請求項７記載の使用。
【請求項９】  Ｘが、Ｃ2−Ｃ20アルキレン基、Ｃ2−Ｃ20アルケニレン基、１もしくはそれ以上の箇所にヘテロ原子が介在するＣ2−Ｃ20アルキレン基、または１もしくはそれ以上の箇所にヘテロ原子が介在するＣ2−Ｃ20アルケニレン基である請求項８記載の使用。
【請求項１０】  ヘテロ原子が窒素原子、酸素原子または硫黄原子である請求項９記載の使用。
【請求項１１】  ポリマーが、式ＩＩ
2002544226.tif 000002
（式中、Ｒ1 およびＲ2 は各々独立して水素原子もしくはアルキル基であり；またはＲ1 は水素原子もしくはアルキル基であり、かつＲ2 は酸官能基であり；ＺはＯもしくはＮＨであり、Ｘはスペーサー基であり、ならびにＹは酸官能基である。）
の繰り返し単位を特徴とするものである請求項７記載の使用。
【請求項１２】  Ｘが、ノルマルの、分岐したもしくは環状の、置換もしくは非置換の、飽和もしくは不飽和のハイドロカービレン基、または少なくとも１個の炭素原子がヘテロ原子により置換された、ノルマルの、分岐したもしくは環状の、置換もしくは非置換の、飽和もしくは不飽和のハイドロカービレン基である請求項１１記載の使用。
【請求項１３】  Ｘが、Ｃ2−Ｃ20アルキレン基、Ｃ2−Ｃ20アルケニレン基、１もしくはそれ以上の箇所にヘテロ原子が介在するＣ2−Ｃ20アルキレン基、または１もしくはそれ以上の箇所にヘテロ原子が介在するＣ2−Ｃ20アルケニレン基である請求項１２記載の使用。
【請求項１４】  ポリマーがホモポリマーまたはコポリマーである請求項７記載の使用。
【請求項１５】  コポリマーがターポリマーである請求項１４記載の使用。
【請求項１６】  モノマーが、アクリル酸、メタクリル酸、スルホン酸ビニル、ホスホン酸ビニル、３−アリルオキシ−２−ハイドロキシ−１−プロパンスルホン酸、酢酸ビニル、ビニルハイドロサルフェート、ビニルジハイドロホスフェート、アリルハイドロサルフェート、アリルジハイドロホスフェート、ウンデセン酸、硫酸ウンデセニル、スルホン酸ウンデセニル、スチレンスルホネートおよび安息香酸ビニル；ならびに製薬学的に許容されうるカチオンと組み合わせたそれらの共役塩基からなる群より選択されるものである請求項７記載の使用。
【請求項１７】  ポリマーが、さらにペンダント疎水基を有するモノマーを特徴とするコポリマーである請求項７記載の使用。
【請求項１８】  疎水基が、直鎖もしくは分岐の、置換もしくは非置換の、環状もしくは非環状のＣ3−Ｃ24アルキル基、アリール基またはアリールアルキル基である請求項１７記載の使用。
【請求項１９】  疎水性モノマーが、スチレン、Ｎ−イソプロピルアクリルアミド、Ｎ−ｔ−ブチルアクリルアミド、Ｎ−ｎ−ブチルアクリルアミド、ヘプタフルオロブチルアクリレート、Ｎ−ｎ−デシルアリルアミン、Ｎ−ｎ−デシルアクリルアミド、ペンタフルオロスチレン、ｎ−ブチルアクリレート、ｔ−ブチルアクリレート、ｎ−デシルアクリレート、Ｎ−ｔ−ブチルメタクリルアミド、ｎ−デシルメタクリレート、ｎ−ブチルメタクリレート、ｎ−ヘキシルメタクリレート、Ｎ−ｎ−ヘキシルビニルアミン、Ｎ−ｎ−ヘキシルアリルアミン、Ｎ−ベンジルアリルアミン、Ｎ−（シクロヘキシルメチル）アリルアミンおよびＮ−（ｎ−デシル）アリルアミンからなる群より選択されるものである請求項１８記載の使用。
【請求項２０】  ポリマーが、中性の親水性モノマーをさらに含有してなるものである請求項１５記載の使用。
【請求項２１】  中性の親水性モノマーが、アクリルアミド、メタクリルアミド、Ｎ−（２−ハイドロキシエチル）アクリルアミドおよび２ハイドロキシエチルメタクリレートからなる群より選択されるものである請求項２０記載の使用。
【請求項２２】  病原性毒素が、ストレプトコッカス（Streptococcus）種；サルモネラ（Salmonella）種；カンピロバクター（Campylobacter）種；エシェリヒア（Escherichia）種；クロストリジア（Clostridia）種；ビブリオ（Vibrio）種；スタヒロコッカス（Staphylococcus）種；シゲラ（Shigella）種；シュードモナス（Pseudomonas）種；ボルダテラ（Bordatella）種；リステリア（Listeria）種；エルシニア（Yersinia）種；レジオネラ（Legionella）種；バシラス（Bacillus）種；ヘリコバクター（Helicobacter）種；コリネバクテリア（Corynebacteria）種；アクチノバシラス（Actinobacillus）種；エロモナス（Aeromonas）種；バクテロイデス（Bacteroides）種およびパスツレラ（Pasteurella）種からなる群より選択される微生物に関連する毒素である請求項７記載の使用。
【請求項２３】  微生物が、ストレプトコッカス・ニュモニエ（Streptococcus pneumoniae）、ストレプトコッカス・ピオゲネス（Streptococcus pyogenes）、サルモネラ・エンテリティディス（Salmonella enteritidis）、カンピロバクター・ジェジュニ（Campylobacter jejuni）、大腸菌、クロストリジウム・ボツリナム（Clostridium botulinum）、スタヒロコッカス・アウレウス（Staphylococcus aureus）、シゲラ・ディセンテリエ（Shigella dysenteriae）、シュードモナス・エルジノーサ（Pseudomonas aeruginosa）、ボルダテラ・ペルツッシス（Bordatella pertussis）、リステリア・モノサイトゲネス（Listeria monocytogenes）、エルシニア・エンテロコリチカ（Yersinia enterocolitica）、レジオネラ・ニューモフィラ（Legionella pneumophilia）およびバシラス・アンスラシス（Bacillus anthracis）からなる群より選択されるものである請求項２２記載の使用。
【請求項２４】  微生物がクロストリジウム・ディフィシレ（Clostridium difficile）である請求項２２記載の使用。
【請求項２５】  微生物が出血性大腸菌株である請求項２３記載の使用。
【請求項２６】  病原性毒素がビブリオ・コレレ（Vibrio cholerae）；エントアメーバ・ヒストリチカ（Entameoba histolytica）およびアカントアメーバ（Acanthameoba）からなる群より選択される生物と関連した毒素である請求項７記載の使用。
【請求項２７】 哺乳動物における抗生物質が関連する下痢またはＣ．ディフィシレが関連する下痢を治療するための医薬の製造における、ポリスチレンスルホネートの使用。
【請求項２８】 感受性の哺乳動物におけるＣ．ディフィシレが関連する下痢の発症または再発の予防するための医薬の製造における、ポリスチレンスルホネートの使用。
【請求項２９】 感受性の哺乳動物におけるＣ．ディフィシレ関連の下痢の発症または再発を予防するための、広いスペクトルの抗生物質と組み合わせて使用される医薬の製造における、ポリスチレンスルホネートの使用。
【請求項３０】 哺乳動物における進行中のＣ．ディフィシレが関連する下痢を治療するための、Ｃ．ディフィシレに対して有効な抗生物質と組み合わせて使用される医薬の製造における、ポリスチレンスルホネートの使用。
【請求項３１】  前記抗生物質がメトロニダゾールまたはバンコマイシンである請求項２９または３０記載の使用。
【請求項３２】  ポリマーが可溶性である請求項２７記載の使用。
【請求項３３】  ポリマーが約４００，０００〜１０００，０００ダルトンの範囲の分子量を有するものである請求項３２記載の使用。
【請求項３４】  医薬に使用するためのポリスチレンスルホネートおよび抗生物質を含有してなる医薬組成物。
【手続補正２】
【補正対象書類名】明細書
【補正対象項目名】００６９
【補正方法】変更
【補正の内容】
【００６９】
本発明の方法によって阻害できる病原性毒素には下記のものが含まれるがそれらに限定されない：ストレプトコッカス・ニュモニエ（Ｓｔｒｅｐｔｏｃｏｃｃｕｓ  ｐｎｅｕｍｏｎｉａｅ）、ストレプトコッカス・ピオゲネス（Ｓｔｒｅｐｔｏｃｏｃｃｕｓ  ｐｙｏｇｅｎｅｓ）およびストレプトコッカス・サングイス（Ｓｔｒｅｐｔｏｃｏｃｃｕｓ  ｓａｎｇｕｉｓ）を含むストレプトコッカス種；サルモネラ・エンテリティディス（Ｓａｌｍｏｎｅｌｌａ  ｅｎｔｅｒｉｔｉｄｉｓ）を含むサルモネラ種；カンピロバクター・ジェジュニ（Ｃａｍｐｙｌｏｂａｃｔｅｒ  ｊｅｊｕｎｉ）を含むカンピロバクター種；大腸菌（Ｅ．ｃｏｌｉ）を含むエシェリヒア（Ｅｓｃｈｅｒｉｃｈｉａ）種；クロストリジウム・ディフィシレ（Ｃｌｏｓｔｒｉｄｉｕｍ  ｄｉｆｆｉｃｉｌｅ）およびクロストリジウム・ボツリナム（Ｃｌｏｓｔｒｉｄｉｕｍ  ｂｏｔｕｌｉｎｕｍ）を含むクロストリジア（Ｃｌｏｓｔｒｉｄｉａ）種；スタヒロコッカス・アウレウス（Ｓｔａｐｈｙｌｏｃｏｃｃｕｓ  ａｕｒｅｕｓ）を含むスタヒロコッカス種；シゲラ・ディセンテリエ（Ｓｈｉｇｅｌｌａ  ｄｙｓｅｎｔｅｒｉａｅ）を含むシゲラ種；シュードモナス・エルジノーサ（Ｐｓｅｕｄｏｍｏｎａｓ  ａｅｒｕｇｉｎｏｓａ）を含むシュードモナス種；ボルダテラ・ペルツッシス（Ｂｏｒｄａｔｅｌｌａ  ｐｅｒｔｕｓｓｉｓ）を含むボルダテラ種；リステリア・モノサイトゲネス（Ｌｉｓｔｅｒｉａ  ｍｏｎｏｃｙｔｏｇｅｎｅｓ）を含むリステリア種；ビブリオ・コレレ（Ｖｉｂｒｉｏ  ｃｈｏｌｅｒａｅ）；エルシニア・エンテロコリチカ（Ｙｅｒｓｉｎｉａ  ｅｎｔｅｒｏｃｏｌｉｔｉｃａ）を含むエルシニア種；レジオネラ・ニューモフィラ（Ｌｅｇｉｏｎｅｌｌａ  ｐｎｅｕｍｏｐｈｉｌｉａ）を含むレジオネラ種；バシラス・アンスラシス（Ｂａｃｉｌｌｕｓ  ａｎｔｈｒａｃｉｓ）を含むバシラス種；ヘリコバクター種；コリネバクテリア（Ｃｏｒｙｎｅｂａｃｔｅｒｉａ）種；アクチノバシラス種；エロモナス種；バクテロイデス・フラジリス（Ｂａｃｔｅｒｏｉｄｅｓ  ｆｒａｇｉｌｉｓ）を含むバクテロイデス種；ナイセリア・メニンジティディス（Ｎ．ｍｅｎｉｎｇｉｔｉｄｉｓ）を含むナイセリア種；例えばモラベラ・カタラーリス（Ｍｏｒａｖｅｌｌａ  ｃａｔａｒｒｈａｌｉｓ）のようなモラクセラ種およびパスツレラ種によって産生されるエクソトキシン類および／またはエンドトキシン類のような毒素類である。さらに含まれるのは、例えばエントアメーバ・ヒストリチカ（Ｅｎｔａｍｅｏｂａ  ｈｉｓｔｏｌｙｔｉｃａ）およびアカントアメーバ（Ａｃａｎｔｈａｍｅｏｂａ）によって産生される毒素のような原生動物性毒素類；および寄生虫性毒素類である。